(57)【要約】      （修正有）【課題】ロール軸に回転自在に設けられている粘着ロール嵌着部の脱落を未然に防止する。【解決手段】ダストロールを嵌着する合成樹脂製のダストロール嵌着部１０と、該ダストロール嵌着部１０を回転自在に支持するホルダー本体３０とからなり、該ホルダー本体３０がその先端部に前記ダストロール嵌着部１０を回転自在に支持する横軸３１を備えているダストロールホルダーである。前記横軸３１に前記ダストロール嵌着部１０の脱落を防止するかしめ部３５を設ける。【選択図】図１
0003132553.tif 000002
【実用新案登録請求の範囲】
【請求項１】
ダストロールを嵌着する合成樹脂製のダストロール嵌着部と、該ダストロール嵌着部を回転自在に支持するホルダー本体とからなり、該ホルダー本体がその先端部に前記ダストロール嵌着部を回転自在に支持する横軸を備えているダストロールホルダーにおいて、前記横軸に前記ダストロール嵌着部の脱落を防止するかしめ部を設けたことを特徴とするダストロールホルダー。
【請求項２】
かしめ部を、ダストロール嵌着部に設けられている回転用円板よりも、若干、横軸の先端部側又は自由端側に設けたことを特徴とする請求項１記載のダストロールホルダー。
【請求項３】
ダストロール嵌着部に、横軸かしめ用の治具を挿入可能な開口部を設けたことを特徴とする請求項１又は２記載のダストロールホルダー。
【請求項４】
ダストロール嵌着部は、平行な二枚の第１ダストロール支持板の一端に第１の円板を設けるとともに、他の一端に第２の円板を設け、この二枚の第１ダストロール支持板の間に設けた隙間は、第１，第２の円板を貫通するホルダー本体先端の横軸の直径よりも多少幅広くなっており、かしめ用治具を挿入できる開口部を兼用していることを特徴とする請求項１乃至３のいずれか１項に記載のダストロールホルダー。
【請求項５】
二枚の第１ダストロール支持板は、その背面側に半径方向の第２のダストロール支持板を有し、該第２のダストロール支持板は、軽量化又は材料使用量抑制用の長孔を有するとともに、この長孔に対応している外辺部に鋸歯状の抜け止め部を有していることを特徴とする請求項４記載のダストロールホルダー。
【請求項６】
第１の円板は、その外側に円筒部を備え、該円筒部は、その端部からダストロール支持板に向けてＵ字状の複数の切欠部を設けて半径方向に弾力性を有する二つの舌状部を形成しており、該二つの舌状部は、その先端に沿って鉤形のダストロール固定部を持ち、第２の円板は、その外側に円筒部を有し、該円筒部は、その端部にフランジ状のダストロール固定部を有していることを特徴とする請求項４記載のダストロールホルダー。
【考案の詳細な説明】
【技術分野】
【０００１】
本考案は、紙管の外周面に連続的に巻き取られている粘着テープの粘着性を利用してカーペットや床面などに落ちている埃や糸屑、あるいは毛髪などを付着して除去するロール状の掃除用粘着テープを支持するためのダストロールホルダーに関する。
【背景技術】
【０００２】
従来、把手部を有する支持部材の先端部に、外周面に粘着性を有する粘着ロールを、ロール軸回りに回転可能に支持して構成される粘着ロール清掃具が知られている（例えば、実用新案登録文献１参照。）。
【０００３】
ところで、この実用新案登録文献１に記載されている粘着ロール清掃具と同種の粘着ロール清掃具において、ロール軸に回転自在に設けられている粘着ロール嵌着部の脱落を防止するために、ロール軸の先端部に合成樹脂製のキャップを装着した場合、メーカーから卸し問屋、あるいは、卸し問屋から小売業者に輸送する間に振動などの影響によって合成樹脂製のキャップがロール軸の先端部から脱落することがある。
【０００４】
そこで、キャップを上に向けて粘着ロール清掃具を輸送したり、あるいは、キャップの軸孔にテーパーを付けたり、いろいろ試行錯誤を繰り返したが、それでも輸送中に合成樹脂製のキャップがロール軸の先端部から脱落することがある。
【０００５】
他方、ロール軸の先端にねじ部を設け、このねじ部にナットを螺着させて粘着ロール嵌着部の脱落を防止することも考えられるが、この場合、ロール軸の先端にねじ部を加工する加工費やナットが必要になり、製造費がアップすると言う新たな問題が発生する。
【特許文献１】実開平７−３９７５６号公報
【考案の開示】
【考案が解決しようとする課題】
【０００６】
本考案は、このような問題を解消するためになされたものであり、その目的とするところは、ロール軸に回転自在に設けられている粘着ロール嵌着部の脱落を未然に防止することができるダストロールホルダーを提供することにある。
【課題を解決するための手段】
【０００７】
上記の課題を解決するため、請求項１に記載の考案に係るダストロールホルダーは、ダストロールを嵌着する合成樹脂製のダストロール嵌着部と、該ダストロール嵌着部を回転自在に支持するホルダー本体とからなり、該ホルダー本体がその先端部に前記ダストロール嵌着部を回転自在に支持する横軸を備えているダストロールホルダーにおいて、前記横軸に前記ダストロール嵌着部の脱落を防止するかしめ部を設けたことを特徴とする。
【０００８】
請求項２に記載の考案に係るダストロールホルダーは、請求項１において、かしめ部を、ダストロール嵌着部に設けられている回転用円板よりも、若干、横軸の先端部側又は自由端側に設けたことを特徴とする。
【０００９】
請求項３に記載の考案に係るダストロールホルダーは、請求項１又は２において、ダストロール嵌着部に、横軸かしめ用の治具を挿入可能な開口部を設けたことを特徴としている。
【００１０】
請求項４に記載の考案に係るダストロールホルダーは、請求項１乃至３のいずれか１項において、ダストロール嵌着部は、平行な二枚の第１ダストロール支持板の一端に第１の円板を設けるとともに、他の一端に第２の円板を設け、この二枚の第１ダストロール支持板の間に設けた隙間は、第１，第２の円板を貫通するホルダー本体先端の横軸の直径よりも多少幅広くなっており、かしめ用治具を挿入できる開口部を兼用していることを特徴とする。
【００１１】
請求項５に記載の考案に係るダストロールホルダーは、請求項４において、二枚の第１ダストロール支持板は、その背面側に半径方向の第２のダストロール支持板を有し、該第２のダストロール支持板は、軽量化又は材料使用量抑制用の長孔を有するとともに、この長孔に対応している外辺部に鋸歯状の抜け止め部を有していることを特徴とする。
【００１２】
請求項６に記載の考案に係るダストロールホルダーは、請求項４において、第１の円板は、その外側に円筒部を備え、該円筒部は、その端部からダストロール支持板に向けてＵ字状の複数の切欠部を設けて半径方向に弾力性を有する二つの舌状部を形成しており、該二つの舌状部は、その先端に沿って鉤形のダストロール固定部を持ち、第２の円板は、その外側に円筒部を有し、該円筒部は、その端部にフランジ状のダストロール固定部を有していることを特徴とする。
【考案の効果】
【００１３】
請求項１に記載の考案は、ダストロールを嵌着する合成樹脂製のダストロール嵌着部と、該ダストロール嵌着部を回転自在に支持するホルダー本体とからなり、該ホルダー本体がその先端部に前記ダストロール嵌着部を回転自在に支持する横軸を備えているダストロールホルダーにおいて、前記横軸に前記ダストロール嵌着部の脱落を防止するかしめ部を設けたので、輸送中の振動などによってダストロール嵌着部が横軸から脱落するのを未然に防止することが可能になる。
【００１４】
請求項２に記載の考案は、かしめ部を、ダストロール嵌着部に設けられている回転用円板よりも、若干、横軸の先端部側又は自由端側に設けたので、輸送中の振動などによってダストロール嵌着部が横軸から脱落するのを未然に防止することが可能になるのみならず、清掃中のダストロール嵌着部の横振れを防止することができる。
【００１５】
請求項３に記載の考案は、ダストロール嵌着部に、横軸かしめ用の治具を挿入可能な開口部を設けたので、横軸にダストロール嵌着部を嵌合させた後、ダストロール嵌着部の開口部から横軸かしめ用の治具を挿入して横軸をかしめ加工することができる。
【００１６】
請求項４に記載の考案に係るダストロールホルダーは、ダストロール嵌着部は、平行な二枚の第１ダストロール支持板の一端に第１の円板を設けるとともに、他の一端に第２の円板を設け、この二枚の第１ダストロール支持板の間に設けた隙間は、第１，第２の円板を貫通するホルダー本体先端の横軸の直径よりも多少幅広くなっており、かしめ用治具を挿入できる開口部を兼用しているので、請求項３に記載の考案と同様に、横軸にダストロール嵌着部を嵌合させた後、ダストロール嵌着部の開口部から横軸かしめ用の治具を挿入して横軸をかしめ加工することができる。
【００１７】
請求項５に記載の考案に係るダストロールホルダーは、二枚の第１ダストロール支持板は、その背面側に半径方向の第２のダストロール支持板を有し、該第２のダストロール支持板は、軽量化又は材料使用量抑制用の長孔を有するとともに、この長孔に対応している外辺部に鋸歯状の抜け止め部を有しているので、ダストロール嵌着部の軽量化又は材料使用量の抑制を図ることができるとともに、ダストロールの固定化を図ることができる。
【００１８】
請求項６に記載の考案に係るダストロールホルダーは、第１の円板は、その外側に円筒部を備え、該円筒部は、その端部からダストロール支持板に向けてＵ字状の複数の切欠部を設けて半径方向に弾力性を有する二つの舌状部を形成しており、該二つの舌状部は、その先端に沿って鉤形のダストロール固定部を持ち、第２の円板は、その外側に円筒部を有し、該円筒部は、その端部にフランジ状のダストロール固定部を有しているので、ダストロール嵌着部に嵌着したダストロールの固定化を図ることができる。
【考案を実施するための最良の形態】
【００１９】
以下、本考案の実施の形態を図面を用いて説明する。
図１に示すように、本考案のダストロールホルダー１００は、ダストロール（図示せず）を嵌着する合成樹脂製のダストロール嵌着部１０と、このダストロール嵌着部１０を回転自在に支持する金属を主体とするホルダー本体３０により構成されている。
【００２０】
ダストロール嵌着部１０は、平行な二枚の第１ダストロール支持板１１，１１の一端に第１の円板１３を設けるとともに、他の一端に第２の円板１４を設けている。この二枚の第１ダストロール支持板１１，１１の間に設けた隙間１５は、第１，第２の円板１３，１４を貫通するホルダー本体先端の横軸３１の直径よりも、多少、幅広くなっており、横軸３１にかしめ部３５を設けることができるようになっている。なお、この二枚の第１ダストロール支持板１１，１１１間の隙間１５は、かしめ用の治具（図示せず）を挿入できる開口部を兼用している。
【００２１】
二枚の第１ダストロール支持板１１，１１は、その背面側に半径方向の第２のダストロール支持板１２を設けている。この第２のダストロール支持板１２は、ダストロール嵌着部１０の長手方向又は軸線方向に向けて設けられている。その上、軽量化又は材料使用量抑制用の長孔１６を有している。また、この第２のダストロール支持板１２は、長孔１６に対応している外辺部１７に鋸歯状の抜け止め部１８を有している。また、第１ダストロール支持板１１と第２のダストロール支持板１２との接合部に複数の補強リブ１９を等間隔で設けている。
【００２２】
第１の円板１３は、その外側、つまり、ダストロール支持板１１，１２の反対側に円筒部２０を備えている。この円筒部２０は、その端部からダストロール支持板１２，１３に向けてＵ字状の複数の切欠部２２を設けて半径方向に弾力性を有する二つの舌状部２３を形成している。この二つの舌状部２３は、その先端に沿って鉤形のダストロール固定部２４を持っている。また、第２の円板１４は、その外側に円筒部２１を有している。この円筒部２１は、その端部にフランジ状のダストロール固定部２５を有している。
【００２３】
上記ホルダー本体３０は、ダストロール嵌着部１０を回転自在に支持する横軸３１と、合成樹脂製の握り部又は把手部３２と、この握り部又は把手部３２に装着した縦軸３３と、縦軸３３と横軸３１を連結するＪ字形の連結部３４によって形成されている。横軸３１と、縦軸３３と、Ｊ字形の連結部３４は、金属製の丸棒によって形成されている。
【００２４】
そして、図１に示すように、第２の円板１４の内面側の近傍に位置するように、前記横棒３１にかしめ部３５を設けてダストロール嵌着部１０が横棒３１から脱落しないようにしている。その際、図２及び図３に示すように、かしめ部３５の横幅を第２の円板１４に設けた貫通孔２６よりも大きくしてダストロール嵌着部１０が横棒３１から脱落しないようにしている。
【００２５】
このダストロールホルダー１００を使用する時は、図４に示すように、紙管５１の外周面に粘着テープ５２を連続的に巻き付けたロール状の掃除用粘着テープ、つまり、ダストロール５０をダストロールホルダー１００のダストロール嵌着部１０に嵌着してカーペットや床面などに落ちている埃や糸屑、あるいは毛髪などの除去に使用する。
【図面の簡単な説明】
【００２６】
【図１】本考案に係るダストロールホルダーの平面図である。
【図２】本考案に係るダストロールホルダーの要部拡大平面図である。
【図３】図２のＸ−Ｘ断面図である。
【図４】本考案のダストロールホルダーにダストロールを装着した状態を示す一部断面を含む平面図である。
【符号の説明】
【００２７】
１０  ダストロール嵌着部
３０  ホルダー本体
３１  横軸
３５  かしめ部
５０  ダストロール
【図１】
0003132553.tif 000003
【図２】
0003132553.tif 000004
【図３】
0003132553.tif 000005
【図４】
0003132553.tif 000006